(57)【要約】ベース部分と、前記ベース部分の上方に配置され、位置が設定可能な患者支持体(１９)を備えている患者支持ベース(１０)と、前記ベース部分に装着され、第１及び第２の対の入れ子式の昇降柱(５)として配設されている４つの入れ子式の昇降柱(５)と、を有しているベッド(１)である。このベッド(１)は、前記患者支持ベース(１０)を支持するための２つのクロスビーム(８)を有している。オペレータハウジング(９)が、前記クロスビーム(８)の少なくとも一方に装着されている。このオペレータハウジング(９)と前記患者支持ベース(１０)とは、手動で解除可能な接続手段を構成している。【選択図】図１０
2016540613.tif 000002
【特許請求の範囲】
【請求項１】
ベース部分と、
前記ベース部分の上方に配置され、位置が設定可能な患者支持体(１９)を備えている患者支持ベース(１０)と、
前記ベース部分に装着され、第１及び第２の対の入れ子式の昇降柱(５)として配設されている４つの入れ子式の昇降柱(５)と、
前記患者支持ベース(１０)を支持するための２つのクロスビーム(８)とを具備し、
オペレータハウジング(９)は、前記クロスビーム(８)の少なくとも一方に装着され、又、オペレータハウジング(９)は、前記位置が設定可能な患者支持体を位置設定するための手段を有し、そして、
前記オペレータハウジング(９)と前記患者支持ベース(１０)とは手動で解除可能な接続手段を構成しているベッド(１)。
【請求項２】
オペレータハウジング(９)は、前記クロスビーム(８)の各々に接続されており、又、オペレータハウジング(９)の両方は、夫々、前記第１の対の入れ子式の昇降柱(５)、及び、前記第２の対の入れ子式の昇降柱(５)間に配置されている請求項１に記載のベッド(１)。
【請求項３】
枢支手段が、前記クロスビーム(８)に対する前記オペレータハウジング(９)の回動を可能にしている請求項１又は２に記載のベッド(１)。
【請求項４】
前記入れ子式の昇降柱(５)の各々は、開口した第１の端を備えている細長いチューブ状の外側部材(５ａ)と、少なくとも部分的に前記細長いチューブ状の外側部材(５ａ)の中にある引込められた位置から、少なくとも部分的に前記細長いチューブ状の外側部材(５ａ)の外にある伸ばされた位置へと、前記開口した端を通って摺動するように配設された細長いチューブ状の内側部材(５ｃ)とを有し、前記細長いチューブ状の内側部材(５ｃ)は、第１の端部で前記ベース部分に支持されている請求項１に記載のベッド(１)。
【請求項５】
前記４つの昇降柱(５)の各々は、別々に制御され得る請求項１乃至４のいずれか１項に記載のベッド(１)。
【発明の詳細な説明】
【技術分野】
【０００１】
本願発明は、ベッドに、特に限定されるものでは無いが、病院のベッドのように人が必要としている特別なケアのためのベッドに、関し、より特別に、ベース部分と、前記ベース部分の上方に配置され、位置が設定可能な患者支持体を備えている患者支持ベースと、前記ベース部分に装着され、第１及び第２の対の入れ子式の昇降柱として配設されている４つの入れ子式の昇降柱と、前記患者支持ベースを支持するための２つのクロスビームとを具備し、オペレータハウジングは、前記クロスビームの少なくとも一方に装着され、又、オペレータハウジングは、前記位置が設定可能な患者支持体を位置設定するための手段を有し、そして、前記オペレータハウジングと前記患者支持ベースとは手動で解除可能な接続手段を構成しているベッドに、関している。
【背景技術】
【０００２】
人が必要なケアのためのベッドには、多くの機能上の要求がなされている。以下では患者と称されている使用者のケアを適切に効率よく果たすことは別として、病院、又は、高齢者擁護施設のようなケアが必要な環境でのベッド自身の取り扱いと、看護婦、ポータ、医者のような全てのケアをする人の人間工学が、考慮されなければならない。
【０００３】
ベッドの休む表面は、患者を異なる位置、例えば、眠る、休む、及び／又は、ベッドでの治療のために、座らされる、横にされる、又は、足を立てる、等にするために、異なる形態を可能とする必要がある。又、例えば、患者がベッドに対して出入りできるように、又は、患者を処置又は取り扱うときのケアをする人のための良好な人間工学的な作業ポジションのために、休む表面を下降又は上昇させることが可能である必要がある。ベッドへの出入りに際して、これは、休む表面が横方向に傾斜され得る、即ち、ベッドの一側又は他側を下降させる、場合に、例えば、患者の洗い、向き換え又は治療のために、若しくは、床ずれ等を防ぐために患者の休む位置を変更するために、患者及びケアを助ける人にとって有用であり得る。上述サレタケアをする人の人間工学の観点から、上記機能性の多くを、好ましくは、全てを電動化する必要がある。
【０００４】
ベッドは、又、例えば、患者が中に運ばれるのを可能にするため移動可能であるのみならず、ベッドは、使用しないときに、洗浄施設及び／又は保管場所に移動されなければならない。保管の間には、ベッドは、可能な限り小さい保管スペースを取るべきである。ベッドは、衝撃及び衝突が起こり易い移動や保管の間に、損傷されないように、頑丈にされるべきである。又、ベッドは、洗浄の間に、強い洗剤、滅菌、オートクレーブの高圧高温、等に充分に耐えるように、強くあるべきである。
【０００５】
上述された患者の搬送の観点で、WO-A-2007/067874により、単一の表面システムを有するベッドを、即ち、患者の便宜、診断、処置、及び、搬送を可能にしている患者支持部分を備えたベッドを提供するように提案されている。しかし、このベッドは、形態、傾斜等について機能性の電動化には一般的に向いていない。また、これは、患者がベッドに出入りするときに、望まれている患者支持体の下降又は上昇が可能ではない。更に、人がベッドの外に落ちやすい傾向があり、この場合には、患者が怪我をするリスクが減じられるようにベッドを低くしている。
【発明の概要】
【０００６】
この従来技術を基として、本願発明の目的は、患者の便宜、診断、処置、及び搬送、形態、傾き、回動、昇降のための電動化、に関して融通性が有り、僅かなスペースを必要とし、容易に洗浄及び頑丈にされるベッドを提供することである。
【０００７】
本願発明の第１の態様に係われば、この目的は、ベース部分と、前記ベース部分の上方に配置され、位置が設定可能な患者支持体を備えている患者支持ベースと、前記ベース部分に装着され、第１及び第２の対の入れ子式の昇降柱として配設されている４つの入れ子式の昇降柱と、前記患者支持ベースを支持するための２つのクロスビームとを具備し、オペレータハウジングは、前記クロスビームの少なくとも一方に装着され、又、オペレータハウジングは、前記位置が設定可能な患者支持体を位置設定するための手段を有し、そして、前記オペレータハウジングと前記患者支持ベースとは手動で解除可能な接続手段を構成しているベッドにより、達成される。
【０００８】
他の好ましい実施の形態に係われば、前記入れ子式の昇降柱の各々は、開口した第１の端を備えている細長いチューブ状の外側部材と、少なくとも部分的に前記細長いチューブ状の外側部材の中にある引込められた位置から、少なくとも部分的に前記細長いチューブ状の外側部材の外にある伸ばされた位置へと、前記開口した端を通って摺動するように配設された細長いチューブ状の内側部材とを有し、前記細長いチューブ状の内側部材は、第１の端部で前記ベース部分に支持されている。これは、患者支持体を非常に低い高さに下降させることをができ可能にし、患者がベッドの外に落ちて損傷するリスクを減じている。
【０００９】
更なる他の好ましい実施の形態に係われば、前記４つの昇降柱の各々は、別々に制御され得る。これは、柱の制御での高い自由度を可能にしており、例えば、コンピュータの制御の基で、所定の、又は、無作為のバターンに従って、患者支持体が、傾斜及び回動をすることを可能にしている。このようにして患者支持体を連続して動かすことにより、床ずれ、人工呼吸での必要性、及び、寝たきりの人に対する他の既知の問題を減じることができる。
【００１０】
本願発明は、以下の添付された図面を参照して、限定されない例示的な実施の形態を基にして記載される。
【図面の簡単な説明】
【００１１】
【図１】図１は、本願発明に係わるベッドの第１の実施の形態の分解図である。
【図２】図２は、設定の変更可能な患者支持体の異なる傾斜と設定とを示している、本願発明に係わるベッドの異なる側面図である。
【図３】図３は、設定の変更可能な患者支持体の異なる傾斜と設定とを示している、本願発明に係わるベッドの異なる側面図である。
【図４】図４は、設定の変更可能な患者支持体の異なる傾斜と設定とを示している、本願発明に係わるベッドの異なる側面図である。
【図５】図５は、設定の変更可能な患者支持体の異なる傾斜と設定とを示している、本願発明に係わるベッドの異なる側面図である。
【図６】図６は、解除された解除可能な手段と垂直位置に回動された患者支持ベースへとを備えた、本願発明に係わるベッドの斜視図である。
【図７】図７は、図６の状態で、一緒にまとめられた複数のベッドを示している。
【図８】図８は、低傾斜位置でのベッドを示している。
【図９ａ】図９ａは、患者支持ベースへの、ベッドの残りの部分上への、トロリーの助けによる順次の位置付けを示している。
【図９ｂ】図９ｂは、患者支持ベースへの、ベッドの残りの部分上への、トロリーの助けによる順次の位置付けを示している。
【図９ｃ】図９ｃは、患者支持ベースへの、ベッドの残りの部分上への、トロリーの助けによる順次の位置付けを示している。
【図９ｄ】図９ｄは、患者支持ベースへの、ベッドの残りの部分上への、トロリーの助けによる順次の位置付けを示している。
【図９ｅ】図９ｅは、患者支持ベースへの、ベッドの残りの部分上への、トロリーの助けによる順次の位置付けを示している。
【図９ｆ】図９ｆは、患者支持ベースへの、ベッドの残りの部分上への、トロリーの助けによる順次の位置付けを示している。
【図１０】図１０は、本願発明に係わるベッドの第２の実施の形態の分解図である。
【図１１】図１１は、図１０に示されたベッドの第２の実施の形態で実行されているような本願発明に係わる細長いオペレータハウジングを示している。
【図１２ａ】図１２ａは、図１１に示されている実施の形態に係わる各オペレータハジング内の傾斜された患者支持ベースの端部を示している。
【図１２ｂ】図１２ｂは、図１１に示されている実施の形態に係わる各オペレータハジング内の傾斜された患者支持ベースの端部を示している。
【図１３ａ】図１３ａは、図１１に示されている実施の形態に係わる細長いオペレータハウジングから患者支持体を解除し取り外す工程を示している。
【図１３ｂ】図１３ｂは、図１１に示されている実施の形態に係わる細長いオペレータハウジングから患者支持体を解除し取り外す工程を示している。
【図１３ｃ】図１３ｃは、図１１に示されている実施の形態に係わる細長いオペレータハウジングから患者支持体を解除し取り外す工程を示している。
【図１３ｄ】図１３ｄは、図１１に示されている実施の形態に係わる細長いオペレータハウジングから患者支持体を解除し取り外す工程を示している。
【図１４】図１４は、位置が設定可能な患者支持体の下方からの斜視図である。
【図１５】図１５は、図１４の位置が設定可能な患者支持体の下方からの斜視図である。
【図１６】図１６は、更に取り出されて設置されたベッド側枠を備えている、図１５の位置が設定可能な患者支持体と患者支持部との下からの斜視図である。
【発明を実施するための形態】
【００１２】
以下の説明で、ベッドに関連して使用されたときに、上側。下側、上方、下方、垂直、水平、等のような方向又は位置を示している用語は、通常の使用位置で、即ち、床のような平坦な水平面上でのベッドに対してであるように理解される。沿う、横切る、長手方向のような同様の用語が、ベッドに関連したこれらの一般的な感覚で使用されている。異なる実施の形態で等しいか、互いに対応している部材に対しては、同じ参照符号が使用されている。
【００１３】
図１の分解図を最初に考慮すると、ベッド１の種々の部品が示されている。このベッドの基礎部分は、中空で細長いビーム２を有している。この細長いビーム２は、スチール、押し出し成型されたアルミニウム、又は、他の適切な材料により形成され得る。後で説明されるように、細長いビーム２は、例えば、入れ子式(telescopic manner )に、伸長され得る。又、細長いビーム２は、基礎部分の互いに対向した両端部を形成するように、ほぼＸ形状の端部材３により両端で終端している。これら端部材３は、好ましくは、圧力鋳造されたアルミニウム、又は、補強されたプラスチック材により形成されている。Ｘ形状の端部材３の各々は、それ自体公知の方法で、Ｘ形状の部材の夫々の１対のアームの両端部の下側に配設された１対のホイール４の上に、既知の方法で支持されている。従って、基礎部分は、かくして、ベッド１は、ある場所から他の場所へと容易に移動され得る。これらホイール４は、ベッドが動いているときに、ベッド１の運動性を増すために、好ましくは、旋回ホイール(swivel wheels)である。更に、これらホイール４は、ベッド１が、患者の重さを伴って移動されるときに、床及び他の表面に対してのストレス及び摩耗を減じるように１５cmと２５cmとの間のような大きい直径を有していることが、好ましい。しかし、ホイール４のディメンションは、ベッド１の上下動を少なくすることと、床及び他の表面に対する摩耗を減じることと、の間の兼ね合いで定められる。更に、表面に対する摩耗は、ベッド１にプラスチック及びアルミニウムのような軽量材料を適切に使用することにより、減じられる。このような材料の使用により、ベッド１の総重量は、溶接されたスチール製の一般の病院のベッドの約５０%に減じられる。好ましくは、ホイール４は、所定の方向に、例えば、ベッド１の長手方向にホイール４をロックするための作り付けのロック手段を有している。この作り付けのロック手段は、個々に、又は、好ましくは、対でホイール４をロックするように、好ましくはワイヤレス遠隔制御され得る。ロックは、ホイール４の旋回動のロックと、ホイールの回転のロックとの両方が可能である。このような作り付けのワイヤレス遠隔制御を使用することは、作業の処置、人間工学、及び、時間の消費の観点で、対でホイール４をロックするために必要な機械的カップリングに対して効果がある。１対のホイール４の旋回動のロックは、ベッド１を運んでいるときに、そのようにすることにより、ボタンを押すだけで良い効果がある。同様に、ベッド１を静止させなければならないか、又はその逆の場合に、その状態でホイール４の回転をロックする。このロックは、ベッド１が移動されない場合には、ベッド１が不用意に走ることを防止するように、同様に、自動的なされ得る。そして、ベッド１が移動されなければならないときには、ホイール４のロックの解除は、ボタンの一回の押しによりなされ得る。更に、ホイール４は、力を与えられないときには、自身で自動的にロックするタイプであり得る。
【００１４】
各Ｘ形状の部材３の他の対のアームの端部は、基礎部分の高さを低くするために、ホイール４の上に位置している前記対のアームの端部よりも下側に一般的に配置されている。前記他の対のアームの端部の各々の上には、入れ子式の昇降柱５が配置されている。かくして、ベッド１は、ベッド１の両端部に夫々配置された１対の昇降柱５を有している。
【００１５】
図４乃至８で良く見られるように、各昇降柱５は、複数のチューブ５ａ、５ｂ、５ｃを有している。これらチューブ５ａ、５ｂ、５ｃは、好ましくは、冷間引き抜きされたスチール、又は、押し出し成型されたアルミニウムにより、好ましくは、形成されているが、レーザ溶接されたスチールチューブ５ａ、５ｂ、５ｃのような他の適切な材料及び製造プロセスも、使用され得る。好ましい実施の形態では、３つのチューブ、即ち、外側チューブ５ａと、内側チューブ５ｃと、中間チューブ５ｂとが使用されている。外側チューブ５ａは、上端が閉じているが、下方の第１の端は開いている。この結果、中間チューブ５ｂ、及び、内側チューブ５ｃが、細長い外側のチューブ部材５ａ内に少なくとも部分的にある縮み位置から細長い外側のチューブ部材５ａの外に少なくとも部分的にある伸び位置へと第１の開口端を通って摺動することを可能にしている。
【００１６】
前記内側チューブ５ｃは、第１の端部で、基礎部分の端部材３のアームに垂直に、即ち、昇降柱５が垂直になるように、装着されている。基礎部分のＸ形状の部材３に取着されている昇降柱５の内側チューブ５ｃと、後述されるように、外側チューブの底部、即ち、これの開口端の近くに接続されている患者支持部分と、を有することにより、外側チューブと、中間チューブと、内側チューブとの間の如何なるギャップも下側に面している効果を有している。かくして、上端で閉じており、大きい直径を有する外側チューブ５ａは、内側にあるチューブを、重力の影響により下方に流れて溜る液体を防ぐであろう。かくして、塵埃と同様に水や、洗浄及び殺菌剤が、入る可能性を少なくしている。このことは、認められていない液体、例えば、こぼれるか正しくない洗浄に対して特に関連性がある。しかし、正しい洗浄の間、内側にあるチューブ５ｂ、５ｃを洗浄するために、昇降柱５が、完全に伸ばされているときら場合も、又、ある。
【００１７】
細長い外側のチューブ部材５ａの各々の下端部にはブラケット６が、設けられている。これらブラケット６は、好ましくは、細長いチューブ部材５ａに、溶接により取着されている。しかし、溶接は、ベッド１の全体の構造では、かなり避けられており、好ましくは、これら溶接は、全体の構造での唯一の溶接である。ベッド１の両端部での各対のブラケット６の少なくとも１つは、長孔７を有している。ブラケット６は、ベッド１の両端部での各対の夫々の昇降柱５間に延びているクロスビーム８を支持している。前記長孔７は、ブラケット６同志が同じ高さに持ち上げられていない場合のブラケット６間の距離の相違を補償し得る。好ましくは、クロスビーム８は、クロスビーム８の傾斜された位置での他のブラケット６に対するストレスを減じるために、長孔７にロックされ得る。
【００１８】
前記昇降柱５は、好ましくは、本出願人の前の特許出願 EP-A-1286909に従って駆動される。この特許出願は、参照としてここに組み入れられる。後述されるように、昇降柱５を上昇させるように個々に制御され得る複数の電気昇降モータが、本出願人の前の特許出願 EP-A-1929623に記載されている位置感知及び制御を使用して、好ましくは制御される。この特許出願は、参照としてここに組み入れられる。
【００１９】
上述されたように、細長いビーム２は、例えば、２つのチューブを使用した入れ子式の方法で伸長可能である。好ましくは、細長いビーム２のディメンションは、１又は２のチューブが、入れ子式の昇降柱５のチューブ５ａ、５ｂ、５ｃのために使用されたのと同じように引き抜かれたチューブの形体で形成され得るように、選択される。細長いビーム２が、入れ子式ではなく単一のチューブにより構成されている場合には、このチューブは、好ましくは、入れ子式の昇降柱５のチューブ５ａ、５ｂ、５ｃのために使用されたのと同じように引き抜かれたチューブの形体で形成され得る。いずれの場合でも、必要な部品の数は、異なる目的のためのチューブが、同じ材料の形体(the same stock profile)から切断され得るので、減じられる。細長いビーム２は、好ましくは、参照としてここに組み入れられる本出願人の特許出願 EP-A-1404980に従って、Ｘ形状の端部材３に結合されている。
【００２０】
オペレータハウジング９が、クロスビーム８の上に、これにより支持されるようにして装着されている。後で説明されるように、このオペレータハウジング９は、クロスビーム８に解除可能に係合している。この結果、係合されたときには、オペレータハウジング９は、クロスビーム８の上方、下方、及び斜め方向の動きに従うことが可能であり、係合が解除されたときには、オペレータハウジング９は、垂直、即ち、実質的に垂直な位置へと回動されることが可能である。保管のためには、全体的に垂直な状態が好ましいが、洗浄のためには、全体に渡って垂直な状態ではなく、水平な側面を避けるために少し傾斜されており、この結果、水及び他の洗剤が集められ得る。このように水平面を避けることは、水及び他の洗剤が流れでることを可能にしている。
【００２１】
ベッド１は、更に、患者支持ベース１０を有している。この患者支持ベース１０は、両端部の所で夫々のオペレータハウジング９に、好ましくは、図１３ａ乃至１３ｄと関連して後で説明されるように、解除可能、取り外し可能、及び、相互交換可能に、装着されている。
【００２２】
前記患者支持ベース１０は、好ましくは、プラスチック材の一体射出成型部品であるが、使用に応じて、中にシャフト１１が位置され得るシールされたキャビティを有するように、又、塵埃等が溜り易い補強リブを隠すように、効果的に、２つの半体を結合させて形成され得る。勿論、伝達シャフト及びロッド１１は、特に、患者支持ベース１０が、上述された一体射出成型部品として形成されている場合には、好ましくは患者支持ベース１０の下側の開成した細長い溝の中に配置され得る。患者支持ベース１０は、好ましくは、手動での持ち上げ、支持、及び、取扱いを可能にするように、側部及び端部に支持ハンドル３３を有している。
【００２３】
図１及び図１１の左側に最も良く見られるように、オペレータハウジング９は、各々が凹んだ切欠部１３を備えている複数のカンチレバー１２を有している。図１の実施の形態では、凹形状の切欠部１３は、カンチレバーに一体的に形成されており、図１０の実施の形態では、凹んだ切欠部は、適切な方法でカンチレバー１２に装着された追加の部材３４により設けられている。凹形状の切欠部１３は、患者支持ベース１０の両端部にある対応した数のスロット２９内に形成された短いシャフト１４を中に受けるように設定されている。凹形状の切欠部１３内での短いシャフト１４の摺動が望まれるか、否かに応じて、異なるが。又、顎形状(jaw like)の取着手段が、図１の実施の形態では、凹所を閉じるために使用され得る。この点に関して、取着手段１５には、ジャーナル軸受けを形成するように、短いシャフト１４の直径に対応した半円形の凹所１７が形成されている。このジャーナル軸受けの中で、患者支持ベースは、オペレータハウジング９に対して回動動作をすることが可能である。摺動動作が、望まれる場合には、取着手段１５が凹所を閉じるように使用されているのに代わって、取着手段１５は、カンチレバー１２と一緒になってフック形となるように一端部で開成され得る細長い凹所を有することができる。取着手段１５は、患者支持ベース１０の取り外しが可能なように、両端部で、前述されたように、オペレータハウジング９とカンチレバー１２とに着脱可能である。
【００２４】
図１０の実施の形態で、前記取着手段１５は、更なる部材３４と共働するフックである。図１２ａと１２ｂとの間の比較により最も良く見られるように、前記更なる部材は、これら患者支持ベース１０の摺動動作を可能にするか否かに応じて、異なる形態をとり得る。
【００２５】
両実施の形態で、取着手段１５の形状と凹形状の切欠部１３，１７の位置とは、患者支持ベース１０の水平位置で短いシャフト１４が遊びを有さないことを確実にするように適用されている。即ち、オペレータハウジング９間での患者支持ベース１０の往復動の可能性を無くしている。このことは、更に、上述されたように、壁、ドア、及び、他の障害物に可能性のある衝突に対して、オペレータハウジング９を保護している。これは、力が、患者支持ベース１０とオペレータハウジング９とに伝達されて、如何なる衝撃をも吸収する助けをなしているためである。前記取着手段１５は、即ち、第１の実施の形態の顎形状の取着手段１５、又は、第２の実施の形態のフック形状の取着手段１５は、好ましくは、オペレータハウジング９に枢支されている。いずれの場合でも、これらは、又、好ましくは、凹所を閉じている閉塞位置に取着されていないときには自動的に開いているように、開成位置に向かってばねにより付勢されている。即ち、解除のときには、これらは、自動的に開いて、短いシャフト１４の、かくして、全体の患者支持ベース１０の取り外しの妨害をしていない。
【００２６】
図１０の分解図で見られ得るように、細長いオペレータハウジングは、位置が設定可能な部品１９の操作のための複数のモータ３５を有している。これらモータ３５は、細長いオペレータハウジング９の一部を形成しているポケットのような適切な収容部２０の中に収容されている。ここで、モータは、汚染物、水、洗剤、腐食物から良く保護されている。
【００２７】
患者支持ベースは、位置が設定可能な部品１９が接続され得る複数のアクチュエータ１８を支持している。説明されたように、これらアクチュエータ１８のための駆動モータは、オペレータハウジング９内に、例えば、オペレータハウジング９に形成されている適切な駆動モータ収容部２０内に配置された電気駆動モータ３５である。これらモータは、昇降柱５を駆動するための昇降モータを除いて、全て、両端部に一緒に配設されている。アクチュエータへの伝達は、患者支持ベース１０が、オペレータハウジング９に対して、即ち、前に説明されたように、凹形状の切欠部１３及び取着手段１５，１６内で移動しているときに、差異と角度とをとるように、アクチュエータのディメンションは、適切なシャフト１１、クランクシャフト、カルダン継手、スプライン、コイルばね５２等を使用してなされる。好ましくは、シャフト１１は、オペレータハウジング９内のアクチュエータモータ収容部２０内の電気アクチュエータモータに、適切な伝達手段３２を介して連結されることが可能なように、多角形の断面を有している。
【００２８】
図１１から見られ得るように、上記伝達手段３２は、適切なブッシング３６，３７を備えたコイルはねを有している。好ましくは、これらブッシング３６，３７は、位置が設定可能な部品１９のための伝達シャフト１１と、電気モータ３５と係合している短いオペレータハウジングの出力軸３８とに係合して共働するために、六角形孔を有している。これら伝達シャフト１１とオペレータハウジングの出力軸３８とは、夫々のブッシング３６，３７と係合するために、適切に、好ましくは、又、六角形の断面を明白に有している。明らかに、矩形断面のような他の適切に合う断面が、代わって使用され得る。オペレータハウジングに近接しているブッシング３６は、ハウジングの必要な開口のシールを助けるように、好ましくは、設定されている。
【００２９】
前記ブッシング３６，３７は、伝達シャフト１１に対して摺動するように、好ましくは、設定されている。２つの理由が、これに対してある。１つの理由は、差異を補償するためである。特に、患者支持ベース１０の長手方向での傾きによりたやすく変わる患者支持ベース１０とオペレータハウジング９との間の距離の差異を補償するためである。他の理由は、ベッド１からの患者支持ベース１０の取り外しを可能にするように、アクチュエータモータ３５からの伝達シャフト１１の係合解除を容易にするためである。かくして、ベッド１からの患者支持ベース１０の取り外すための全ては、取着手段１５，１６をこれらのロック位置から解除することと、シャフト１１の係合を外すようにブッシングを摺動させることと、患者支持ベース１０を離れるように持ち上げることとである。
【００３０】
前記ブッシング３６，３７の摺動は、図１１に両頭矢印で示されているように、オペレータハウジング９に沿って操作バー４６を前後に移動させることにより、なされる。このように操作バー４６を前後に摺動させることにより、適切なカム面４７，４８が、ブッシング３６と係合して、これを動かす。同様に、類似のカム面が、ブッシング３６と同様に、取着手段１５と係合してこれを動かす。
【００３１】
更に、ブッシング３６とブッシング３７との間のコイルばね３２を使用することにより、オペレータハウジングの出力軸３８と伝達シャフト１１との間のリンクが、曲がることが可能となって、患者支持の異なる傾斜を許容することが可能となる。代わって、カルダンシャフトが、使用され得るが、ブッシング３６，３７を備えたコイルばね３２を使用している曲がることが可能なリンクが、一般的に好ましい。
【００３２】
アクチュエータ１８のためのこの駆動は、又、電動であるために、これらアクチュエータモータ３５は、かくして、個々の位置が設定可能な部品１９の位置は、ベッド１の制御パネルの使用により、もしくは、有線又は無線遠隔制御を使用することにより、好ましくは、記載されている患者支持ベース１０の横方向の傾き(tilt)のために使用されるのと同様に、ベッドに座っている患者自身により制御され得る。可能な範囲で、アクチュエータ１８のためのアクチュエータモータと関係付けされた電子機器及び配線と、患者をモニターするための種々のセンサー、アラーム等と関係付けされた電子機器及び配線が、又、好ましくはオペレータハウジング９内に、好ましくは、配置されている。これらは、強い洗剤、滅菌、機械的衝撃等のような外部からの刺激に対して良く保護されている。もし、例えば、改造によって、アクチュエータのためのアクチュエータモータと関係付けされた電子機器及び配線と、種々のセンサー及び／又はアラーム等と関係付けされた電子機器及び配線が、全てオペレータハウジング９の中に適合させることができないのであれば、これらのうちの幾つかが、オペレータハウジング９又は、好ましくは、クロスビーム８に接続され、クロスビーム８に配設されているＶ字形状の収容部４４内に配置されるような、分かれているハウジング内に適合され得る。分かれているこのようなハウジングは、又、電気的なショックの危険を避けるように１２Ｖ又は２４Ｖのような低電圧ＤＣのために好ましくはレイアウトされている全体の電気システムのためのバックアップ用のバッテリーを収容し得る。Ｖ字形状の収容部４４に加えて、クロスビーム８は、アーム及び台を装着するための垂直な盲穴を有する突出部４５のような、アームと台の集合体(arm and gallows arrangement)のための収容部を、又、有し得る。クロスビームに配設されているこの突出部４５は、台が、患者支持ベースと共に移動し、そして、患者のリーチ内に留まることを可能にしている。
【００３３】
オペレータハウジング９からＸ字形状の端部材３への電気的な接続が、昇降柱５内の移動している部品による配線への損傷を避けるために、昇降柱５への延長可能な、昇降柱５の外部にあるスパイラル状の配線のように、好ましくは、引かれている。
【００３４】
患者支持ベース１０及び位置が設定可能な部品１９が、拡大して詳細に示されている図１４乃至１６を今参照すると、位置が設定可能な部品１９と患者支持ベース１０との間に、複数のスペーサブラケット２１が配置されている。これらスペーサブラケット２１は、位置が設定可能な部品１９を平坦なフラッシュ位置に、即ち、図４及び５に示されているように、支持している。図１５に最も良く見られるように、スペーサブラケット２１は、又、ベッド側枠２２が使用されていないときには、ベッド側枠２２のための保管スペース３９を与えている。図１６に見られるように、ベッド側枠２２(cot sides)は、塵埃が集まらないようにするために、円滑で丸みが付けられている。図１，９、及び、１４乃至１６には示されていないけれども、ベッド１は、勿論、例えば、図２乃至４で見られるように、患者の心地よさのために、取り外し可能なマットレス２３が装着されて通常に使用される。位置が設定可能な部品１９は、好ましくは、複数の低い折り曲げ側部２４を、好ましくは、有している。これらは、２つの目的のために機能する。第１の目的は、取外し可能なマットレス２３の横方向又は長手方向の動きを防止することである。第２の目的は、これらが、収容部３９から引き出されて、図１６に示されているように、起立位置に設けられたときに、ベッド側枠２２を支持且つロックすることである。
【００３５】
図１５及び１６から見られ得るように、患者支持ベース１０の下側には、アクチュエータ１８を収容している複数の溝４０が設けられている。前記アクチュエータにより、位置が設定可能な部品１９は、異なる形態間で動き得る。患者支持ベース１０が、フレームに適切に適合されているときに、伝達シャフト１１は、又、オペレータハウジング９からアクチュエータ１８へと溝４０に沿って延びている。患者支持ベースが、更なるベッド側枠２２’と適合可能なホイール４２を有している。図１の実施の形態に関係しているけれども、図８から、更なるベッド側枠２２’は、好ましくは、これらが、ベッド１の外で他のベッド側枠２２と重なるように構成されていることが、見られ得る。かくして、これらは、他のベッド側枠２２を支持して、ベッド１からの患者の落下に対しての安全性を増している。当業者は、これと同様のほとんどの他の形体が、本願発明に係わるベッド１の種々の実施の形態間で、充分に交換可能であることが、理解される。
【００３６】
例えば、図１０と関連して図１１を参照すると、オペレータハウジング９は、好ましくは、又、取外し可能な端部ボード部材を受けて、例えば、円筒形又は切頭円錐形の孔のような適切な容器を有している端部ボード２５により、支持されている。オペレータハウジング９は、相補的なチューブ状、円筒状、切頭円錐状、又は、他の適切に設定された突出部２６を有している。
【００３７】
更に、ハンドルバー又はノブのようなノブ３１が、複数の昇降柱５の各々又は幾つかの外側チューブ５ａの上端部に適切にフィットされている。この結果、例えば、引いたり押したりすることにより、ベッドを移動させるときに、良好なグリップを可能としている。更に、図１０から見られ得るように、ノブ３１は、垂直な切欠部４２を有し得る。これら切欠部４２は、Ｘ形状の部材３の端部にある垂直な盲穴４３の上方に垂直に配設されている。切欠部４２は、盲穴４３の中に適合され得る静脈注射用のポール(intravenous poles)のような支柱(図示されていない)を支持するための助けをなしている。
【００３８】
図６と図８との間の比較により理解されるように、本願発明に係わるベッド１は、患者支持ベース１０を傾ける２つの独立した方法を有している。
【００３９】
原理的には、昇降柱５が、ブラケット６を、従って、又、クロスビーム８、オペレータハウジング９、及び、患者支持ベース１０、を基礎部分の細長いビーム２の上方に充分に高く上昇させると、装着ブランケット間の長軸を中心とした患者支持ベース１０の充分な回動が可能となり得る。しかし、実用上の目的のために、図６及び図７に示されているような充分な垂直の位置に患者支持ベース１０を回動させるのには充分である。この最初の可能性は、手動動作に基づいている。適切なロック機構４１の解除の後、好ましくは、子供にとって安全であり、又、両手での操作の後、回動手段は、クロスビーム８の軸、シャフト、又は、ピン２８を中心としてオペレータハウジング９を回動させるように解除される。この結果、患者支持ベース１０は、図示された垂直スペースサーブ位置に回動可能となる。このような回動手段は、種々の異なる方法でなされることができ、又、これをするのに問題が無い当業者を見つけるように頼まれ得る。
【００４０】
この充分な垂直の位置で、患者支持ベース１０は、細長いビーム２が位置している仮想平面内で細長いビーム２のほぼ上方のスペースを占めている。図７から見られ得るように、この結果、複数のベッド１が、保管、洗浄、消毒、滅菌器内での滅菌、等、のために密に、Ｘ字形状の部材３のクロスビームの幅にのみ制限されて。集められ(ganged)得る。ベッド側枠２２と端部ボード２５との高さが、適切なディメンションの場合には、保管と滅菌、しかし、特に、洗浄と消毒とは、端部ボード２５がその位置にあり、ベッド側枠２２が、保管位置、即ち、ベッド内から、アクセス可能な位置に、即ち、図６に示されてベッド側枠２２の実質的に垂直な位置に、上昇された状態で、行われ得る。前述されたように、洗浄のためには、完全には垂直ではない位置が、望ましい。これは、例えば、洗浄の間にベッド側枠２２の上が完全に水平な面とならないようにして、水、及び、他の洗剤が、集まらないようにするためである。このように充分で実質的に垂直な位置で、本願発明に係わるベッド１は、一般のベッドよりも実質的に少ないスペースを占める。本願発明に係わる４つのベッド１は、２つの一般の病院用のベッドとほぼ同じスペースを占め、この結果、必要なスペースを約４０%減じている。かくして、多くのベッド１が、滅菌器の中に同時に入れられ、多くのベッド１が、指摘された保管スペースに置かれ、又、多くのベッド１が、輸送の間に貨物車の保持部の中に適合するであろう。
【００４１】
図示された実施の形態では、３つのチューブ５ａ，５ｂ，５ｃを有する４つの昇降柱５が、使用されている。これは、図５に示されているように、約９０乃至１００cmの最高高さに患者支持ベース１０を上昇させ得るのに充分である。このような高さは、患者支持ベース１０を垂直な保管位置に傾斜させ得るためには、充分であるばかりではなく、人のケアにとって人間工学的に好ましい高さに、かくして、患者に対して下方に曲げる必要のない高さに、水平な患者支持ベース１０の上昇を可能にしている。
【００４２】
第２の傾きの可能性は、昇降柱５の中又は下に、保護された状態で配置されている複数の電気モータ(図示されていない)によりなされる。傾けるために、これら電気モータは、所望の高さへと昇降柱５を、夫々独立して駆動する。回動手段が、安全位置にしっかりとロックされていて、オペレータハウジング９がクロスビーム８に対して固定されている場合には、クロスビーム８の、かくして患者支持ベース１０のモータにより制御された傾動が可能となる。理解されるであろうように、昇降柱を夫々独立して駆動させることにより、ベッドの全体の傾斜の変更が、又、可能となっている。以下に説明されるように、モータで制御される昇降柱５は、遠隔及び／又はコンピュータ制御され得る。傾動は、ベッド側枠２２が装着されていない場合に、患者がベッド１の外に転がる又はずれる可能性のある、患者又は他のオペレータが不用意に到達可能な角度とすることを防ぐために、例えば、水平に対して２５乃至３０°の角度に、好ましくは、制限されている。これは、図８に示されているように、ベッド側枠２２が、勿論ベッド側枠２２が取り外されている場合に、ベッド１の中又は外への患者の移動の助けをなすように、横方向に僅かに傾斜することを可能にしている。駆動は、電気的なので、これは、ベッドに座っている患者が、ベッド１の制御パネル(図示されていない)を使用するか、有線又は無線の遠隔制御を使用することにより、制御されることを可能にしている。更に傾動は、寝たきりの患者の床ずれ、尿、排の汚染のリスクをス少なくする、例えば、１２°以上の長手方向の傾斜と可能であれば組み合わされて、変化する小さい横方法の傾斜角度を自動的に与えるために、コンピュータ制御され得る。
【００４３】
上述されたように、昇降柱５の外側チューブ５ａの下端部に支持ブラケット６が設けられていることにより、支持ブラケット６が、かくして、患者支持ベース１０が、非常に低い最低高さに、実質的に基礎部品の細長いビーム２の下側に、完全に下降され得る。これは、前述されているように、眠っている、落着きの無い、又は、薬で麻痺されている患者が、ベッド１の外に落ちたときの怪我のリスクを減じている。図３、図４、及び図８から見られ得るように、昇降柱５は、互いに個々に独立して制御可能である。かくして、患者支持ベース１０は、図２と図３との間の比較により見られ得るように、位置が設定可能な部品１９により得ることが可能な種々の位置への更なる自由度を与えるように、一端で下降され他端で上昇され得る。しかし、図３に示されているような長手方向の傾斜位置での患者支持ベース１０、及び、図４に示されているトレンデレンブルグ体位のための位置では、オペレータハウジング９相互間の距離が、例えば、患者支持ベース１０が水平である図５での位置よりも長くなっている。かくして、オペレータハウジング９の少なくとも１つは、変位可能に設定されており、又、昇降柱５の夫々の対の外側チューブ５ａの装着ブラケット６に装着されているクロスビーム８に対して患者支持ベース１０を回動させている。好ましくは、上述されているように、ベッド１の一方の端部オペレータハウジング９の所で、取着機構の上部を、カンチレバー１２の、例えば、１２ｂで示されているような下側の部分の凹所１３の中にある患者支持ベース１０の短いシャフト１４の短いシャフト１４の摺動を可能にするように、形状を設定することにより、なされる。
【００４４】
同様に、患者支持ベース１０が、図８に示されているように傾斜された、即ち、横方向に傾けられた位置にある場合には、ブラケット６間の距離は、例えば、図５に示されている患者支持ベース１０が水平である場合よりも長くなっている。これを補償するために、ベッド１の両端部にあるブラケット６の少なくとも１つは、クロスビーム８の一端部の変位を可能にするように、長孔７を有している。これら長孔７は、ベッドの同じ側に、好ましくは、ある。更に、クロスビーム８の傾斜状態で多くの側方のストレス及び荷重を支える、ベッド１の反対側の対応したブラケット６へのストレスを減じるように、ブラケット６に長孔７をロックさせるための手段が設けられ得る。このような僅かな反れから離れて、昇降柱５、クロスビーム８、オペレータハウジング９、ブラケット６、等は、ベッド１の製造に際して製造及び保管される必要な異なる部品点数を減じるように、ベッド１の両側で、好ましくは、同じである。
【００４５】
上記から理解され得るように、オペレータハウジング９を回動可能にユニットとして与えることにより、患者支持ベース１０が保管位置として機能する垂直スペースへと容易に回動され得るだけではなく、患者支持ベース１０が、ベッドから容易に取り外されることを可能にしている。１２から取着手段１５を解除するようになされなければならない全てのことは、オペレータハウジングの出力シャフト３８とシャフト１１との間の簡単な機械的なカップリングを解除することである。この解除により患者支持ベース１０は、取り外されることができる。電気的な接続は、患者支持ベース１０が、機械的な部品を有する極めて簡単な構成なので、切断される必要がない。
【００４６】
最初に図１３ａを参照すると、患者支持部分の短いシャフト１４が、オペレータハウジング９のカンチレバー１２の上に位置していることが、見られ得る。フック形状の取着手段１５が、患者支持ベース１０の短いシャフト１４を保持し、追加の部材３４にしっかりと係合され、しかし、患者支持ベース１０を回動させて傾けるためにカンチレバーに対する短いシャフト１４の必要な回転を可能にしている、閉じた位置にある。シャフト１１は、ブッシング３６に接続さけているコイルばね３２に接続されているブッシング３７の中で、これに係合されている。オペレータハウジングの短い出力シャフト３８は、ブッシング３６の中でこれに係合されており、この結果、電気モータ３５から伝達シャフトの離れた端部の所でアクチュエータ１８(図示されていない)への完全な伝達を確立している。
【００４７】
図１３ｂに、コイルばね３２が、どのようにして操作バー４６のカム面４７に、図１１と関連して前述されたように、押されているかが、従って、ブッシング３７が、オペレータハウジング９に向かって引かれているかが、見られ得る。ブッシング３７は、シャフト１１がブッシング３７ともはや係合されなくなるまで、引かれている。
図１３ｃでは、フック形状の取着機構１５のロック機構は、係合が解除されている。上述されたように、フック形状の取着機構１５は、開成位置方向に、好ましくは、付勢されており、この結果、もはや、患者支持ベース１０の短いシャフト１４を追加の部材３４にしっかりとは保持させていない。
【００４８】
短いシャフト１４とシャフト１１との両者は、取着手段１５及びブッシング３７との、夫々の係合が解除されているので、患者支持ベース１０の取り外しを邪魔するものは無く、これは、全体に渡って、オペレータハウジング９から、かくしてベッド１の基礎部品から、図１３ｄに示されているように、取り外されることが可能である。明らかに、図１３ａ乃至１３ｄの工程を逆にすることにより、患者支持ベースは、対応している又は同じ基礎部品に、再び装着され得る。
【００４９】
この患者支持ベース１０の容易な取り外しにより、患者支持ベース１０は、患者を運ぶのに際して、多様に使用され得る。かくして、スキャナーのような処置又は検査のステーションに、救急者の中に、等の患者の搬送のときに、患者を患者支持部から取り外すために、困難な、面倒な、又は、幾分危険なプロセスを必要としない。
【００５０】
図９ａ乃至９ｆは、患者はいないけれどね、このプロセスを示している。図９ａは、どのようにして患者支持体が、トロリー３０上で、空の基礎部品へと運ばれるかが示されている。基礎部品の昇降柱５は、全て下降されている。トロリー３０を使用することにより、患者支持ベース１０は、図９ｂに示されているように、患者支持ベース１０は、基礎部品の上方の適切な位置に容易に位置され得る。次に、昇降柱５は、図９ｃに示されているように、カンチレバー１２及び取着手段１５，１６を備えているオペレータハウジング９が、患者支持体の短いシャフト１４と係合するように移動される。全て上昇され、この結果、図９ｃに示されているように、カンチレバー１２及び取着手段１５，１６を備えているオペレータハウジング９が、患者支持体の短いシャフト１４と係合するために移動するように、全て上昇される。かくして、取着手段は、取着されて、オペレータハウジング９とシャフト１１との間の機械的なカップリングが、係合される。このときには、トロリー３０は、図９ｄ及び９ｅに示されているように取り外され得、図９ｆに示されているように、充分に使用可能に組み立てられたベッド１から離間している。患者支持ベース１０を取り外すために、対応している工程が、逆の順序でなされ得る。
【００５１】
これは、例えば、患者が、ベッドからトロリー３０の上へと持ち上げられ、救急車へと運ばれ、トロリーが救急車のために設定されている場合には、トロリーを入れることが可能である救急車の中へと持ち上げられ、そして、他の同様のベースが待機しており、患者支持ベースがかくして適用される他の病院、ケアセンター、又は自宅に搬送される。これらの全ては、患者支持体から患者をどける必要がなく果たされ得、かくして、一般的な方法のように患者をベッドから外にどける際の不都合や危険を回避している。更に、ロジスティックの観点から、これは、ベースが患者に従わせる必要がないために、ベースを都合の良いときに、別に搬送され得るような効果がある。
【図１】
2016540613.tif 000003
【図２】
2016540613.tif 000004
【図３】
2016540613.tif 000005
【図４】
2016540613.tif 000006
【図５】
2016540613.tif 000007
【図６】
2016540613.tif 000008
【図７】
2016540613.tif 000009
【図８】
2016540613.tif 000010
【図９ａ】
2016540613.tif 000011
【図９ｂ】
2016540613.tif 000012
【図９ｃ】
2016540613.tif 000013
【図９ｄ】
2016540613.tif 000014
【図９ｅ】
2016540613.tif 000015
【図９ｆ】
2016540613.tif 000016
【図１０】
2016540613.tif 000017
【図１１】
2016540613.tif 000018
【図１２ａ】
2016540613.tif 000019
【図１２ｂ】
2016540613.tif 000020
【図１３ａ】
2016540613.tif 000021
【図１３ｂ】
2016540613.tif 000022
【図１３ｃ】
2016540613.tif 000023
【図１３ｄ】
2016540613.tif 000024
【図１４】
2016540613.tif 000025
【図１５】
2016540613.tif 000026
【図１６】
2016540613.tif 000027
【国際調査報告】
2016540613.tif 000028
2016540613.tif 000029